(57)【特許請求の範囲】
【請求項１】
外箱と、この外箱内に間隔を在して組み込まれる内箱と、この内箱と外箱との空間に配置した制御装置等を収納する電装ボックス(12)と、この電装ボックス(12)から前記空間(4)に引き出したリード線(13)と、前記電装ボックス(12)を除いて前記空間内に発泡充填した断熱材とを備えた貯蔵庫において、
前記電装ボックス(12)には空間内にリード線を引き出すＵ字状の引き出し口(17)を設け、この引き出し口(17)には外周にシール部材(21)の設けられたリード線を保持する一対の係止片(18)を設け、この一対の係止片(18)と前記Ｕ字状の引き出し口(17)とが重なり合わないようにずらして形成することにより、この係止片(18)と引き出し口(17)とで前記シール部材(21)を中間部で挟持して、前記空間(4)内に臨むこのシール部材(21)の先端に押圧力が作用しないようにし、スプリングバックによって前記一対の係止片(18)の間から飛び出さないようにしたことを特徴とする貯蔵庫のリード線の固定装置。
【発明の詳細な説明】
【０００１】
【発明の属する技術分野】
この発明は貯蔵庫のリード線の固定装置に関する。
【０００２】
【従来の技術】
従来のこの種冷蔵庫は例えば特開平６−２９４５７７号公報に記載されているように、断熱材の充填される冷蔵庫本体の背部に電気部品等を収納した収納箱を配置し、この収納箱に設けた角孔に予めシール部材でシールしたリード線を孔に通して組み立てた収納板で前記収納箱の角孔を塞ぐように取り付けて形成し、前記リード線を大きな孔に挿入するようにして取り付けなくても良いようにしている。
【０００３】
【発明が解決しようとする課題】
しかしながら、従来の冷蔵庫の収納箱ではリード線を収納板の孔に挿入していうため、シール部材を有するリード線の挿入に手間がかかり作業性が悪くなる等の問題があった。
【０００４】
この発明は上記の問題を解決するもので、リード線のシール部材を電装ボックスに取り付けやすくした貯蔵庫のリード線の固定装置を提供することを目的とする。
【０００５】
【課題を解決するための手段】
【０００６】
本発明では、外箱と、この外箱内に間隔を在して組み込まれる内箱と、この内箱と外箱との空間に配置した制御装置等を収納する電装ボックスと、この電装ボックスから前記空間に引き出したリード線と、前記電装ボックスを除いて前記空間内に発泡充填した断熱材とを備え、前記電装ボックスに空間内にリード線を引き出すＵ字状の引き出し口を設け、この引き出し口に外周にシール部材の設けられたリード線を保持する一対の係止片を設け、この一対の係止片と前記Ｕ字状の引き出し口とが重なり合わないようにずらして形成することにより、この係止片と引き出し口とで前記シール部材を中間部で挟持して、前記空間内に臨むこのシール部材の先端に押圧力が作用しないようにし、スプリングバックによって前記一対の係止片の間から飛び出さないようにしている。
【０００７】
【０００８】
【発明の実施の形態】
以下この発明を図に基づいて説明する。
【０００９】
図１はこの発明の一実施例を示す冷蔵庫の断面図である。図２はこの発明の冷蔵庫の分解斜視図である。図３はこの発明の冷蔵庫の要部拡大斜視図である。図４はこの発明の電装ボックスの平面図である、図５はこの発明の電装ボックスのリード線引き出し部の要部平面図である。図６はこの発明の電装ボックスの引き出し部の要部正面図である。図７はこの発明の電装ボックスの引き出し部の要部側面断面図である。図８はこの発明の引き出し部にリード線を装着した状態を示す要部平面図である。図９はこの発明の引き出し部にリード線を装着した状態を示す要部正面図である。図１０はこの発明の引き出し部にリード線を装着した状態を示す要部側面断面図である。
【００１０】
１は冷蔵庫で、この冷蔵庫は前方に開口する鋼板製の外箱２と、この外箱内に間隔を存して組み込まれる前方に開口する硬質合成樹脂製の内箱３と、両箱２，３間の空間４に現場発泡方式にて充填された発泡ポリウレタン断熱材５とから本体６が構成されている。内箱３は仕切壁７にて上下に区画され、上側に冷蔵室８が、下側に冷凍室９が形成されている。そして、冷蔵室８の前面開口は扉１０で、冷凍室９の前面開口は引き出し扉１１にて開閉自在に閉塞されている。
【００１１】
１２は本体６の背面上部に配置されて内部に冷蔵庫１を制御する制御装置等を収納する電装ボックスで、この電装ボックスには制御装置等に接続されるリード線１３を発泡ポリウレタン断熱材５の充填前の空間４に引き出す引き出し部１４と、外板２の裏板１５を保持するフランジ１６とが設けられている。
【００１２】
引き出し部１４はＵ字状に形成された引き出し口１７と、この引き出し口と重なり合わないように形成した一対の係止片１８とで構成されている。この一対の係止片は中央を離し、中央に向かって互いに対向する下向きの傾斜部１９を形成している。この傾斜部はＵ字状の引き出し口１７より間隔を狭く形成している。また、Ｕ字状の引き出し口１７の上部のフランジ１６には切欠２０が設けられている。
【００１３】
２１は引き出し部１４をシールするシール部材で、このシール部材はリード線１３の外周に設けられている。
【００１４】
このように構成された貯蔵庫のリード線の固定装置において、電装ボックス１２の取付
方について説明すると、まず、外箱２に内箱３を組み込んで背面上部の空間４に電装ボックス１２を取り付ける。このとき、電装ボックス１２内には冷蔵庫１を制御する制御装置等が組み込まれている。次に、リード線１３のシール部材２１を引き出し部１４の係止片１８に押し込むことにより、リード線１３は引き出し口１４で保持される。そして、裏板１５はフランジ１６と係止片１８との間に形成する凹部２２に挿入して取り付けた後、空間４内に発泡ポリウレタンを充填して冷蔵庫１の本体５が完成する。
【００１５】
シール部材２１は係止片１８とＵ字状の引き出し口１７とが重なり合わないようにずらして形成することにより、この係止片と引き出し口とでシール部材２１を中間部で挟持し、空間４内に臨むこのシール部材の先端に押圧力が作用しないようにし、スプリングバックによって一対の係止片１８の間から飛び出さないようにされている。そのため、シール部材２１はフランジ１６と係止片１８との間の凹部２２に裏板１５を挿入するときに邪魔にならないようにされている。また、引き出し口１７のシール部材２１は裏板１５によって押し付けられ、空間４内に発泡ポリウレタンを充填したときにこの空間内の発泡ポリウレタンが電装ボックス１２内に漏れないようにしている。
【００１６】
一対の係止片１８は中央に下向きの傾斜部１９を設けることにより、シール部材２１を押し込みやすく、しかも、抜けだし難くしている。
【００１７】
【発明の効果】
【００１８】
本発明によれば、外箱と、この外箱内に間隔を在して組み込まれる内箱と、この内箱と外箱との空間に配置した制御装置等を収納する電装ボックスと、この電装ボックスから前記空間に引き出したリード線と、前記電装ボックスを除いて前記空間内に発泡充填した断熱材とを備え、前記電装ボックスに空間内にリード線を引き出すＵ字状の引き出し口を設け、この引き出し口に外周にシール部材の設けられたリード線を保持する一対の係止片を設け、この一対の係止片と前記Ｕ字状の引き出し口とが重なり合わないようにずらして形成することにより、この係止片と引き出し口とで前記シール部材を中間部で挟持して、前記空間内に臨むこのシール部材の先端に押圧力が作用しないようにし、スプリングバックによって前記一対の係止片の間から飛び出さないようにできる。
【００１９】
【図面の簡単な説明】
【図１】  この発明の一実施例を示す冷蔵庫の断面図である。
【図２】  この発明の冷蔵庫の分解斜視図である。
【図３】  この発明の冷蔵庫の要部拡大斜視図である。
【図４】  この発明の電装ボックスの平面図である、
【図５】  この発明の電装ボックスのリード線引き出し部の要部平面図である。
【図６】  この発明の電装ボックスの引き出し部の要部正面図である。
【図７】  この発明の電装ボックスの引き出し部の要部側面断面図である。
【図８】  この発明の引き出し部にリード線を装着した状態を示す要部平面図である。
【図９】  この発明の引き出し部にリード線を装着した状態を示す要部正面図である。
【図１０】  この発明の引き出し部にリード線を装着した状態を示す要部側面断面図である。
【符号の説明】
１  冷蔵庫
２  外箱
３  内箱
４  空間
５  断熱材
１２  電装ボックス
１３  リード線
１５  裏板
１６  フランジ
１７  引き出し口
１８  係止片
１９  傾斜部
２１  シール部材
【図１】
0003717882.tif 000002
【図２】
0003717882.tif 000003
【図３】
0003717882.tif 000004
【図４】
0003717882.tif 000005
【図５】
0003717882.tif 000006
【図６】
0003717882.tif 000007
【図７】
0003717882.tif 000008
【図８】
0003717882.tif 000009
【図９】
0003717882.tif 000010
【図１０】
0003717882.tif 000011